(57)【要約】      （修正有）【課題】ナースコール装置の子機である患者動き検出装置において、簡単な構造で患者の動きを確実に検出するための電極付バーを備えた患者動き検出装置を提供する。【解決手段】患者に取り付けるクリップとこれに付いたバー１００と、バー挿入口５１２とバー１００の挿抜で状態が変わる電気的スイッチ５１３を備えた検出回路とを備えたクリップ式患者動き検出装置において、クリップがその開閉又は外れにより導通／非導通状態が変わる第一の対の電極を備え、バーは第一の対の電極にそれぞれ接続した第二の対の電極１０１を備え、バー挿入口５１２からバー１００を抜去状態では、電気的スイッチ５１３が「バー抜け」に対応する第一の電気的状態を示し、バー挿入口５１２へのバー１００の挿入状態では、第二の対の電極１０１が電気的スイッチ５１３の回路に接続しているので、第二の対の電極１０１に繋がった第一の対の電極の電気的状態により検出出力が決まる。【選択図】図１
2014180297.tif 000002
【特許請求の範囲】
【請求項１】
患者に取り付けるクリップと、患者の動きの検出結果を報知する報知装置に繋がるスイッチ回路と、前記スイッチ回路に抜き差しするバーとを有し、
前記スイッチ回路は、その筐体の表面に前記バーを挿抜するための開口であるバー挿入口を有し、前記バーの挿抜によって、挿抜検出が可能なように電気的状態が変わる第三の対の電極を備えた検出スイッチを有し、
前記クリップは、患者に取り付いている場合の電気的状態に対して、外した状態又は取り付け状態から引き抜け状態に移行した状態とで異なる電気的状態を得られるように、クリップの相対するクリップ片に第一の対の電極を有し、
前記バーは、前記バー挿入口に挿抜されるに対応した平板状又は棒状の形状を有し、挿抜されることで、前記第三の対の電極の間隔を拡縮し、前記バーには、第二の対の電極が備えられ、前記クリップの第一の電極と前記バーの第二の対の電極は、各々電気的に配線で接続されていて、
前記バーが前記バー挿入口に挿入の状態から抜去の状態になった場合には、前記検出スイッチの第三の対の電極の状態により、前記報知装置が、前記スイッチ回路を介して、抜去の状態になった検出出力を行い、
前記バーが前記バー挿入口に挿入の状態のままでは、第二の対の電極が第三の対の電極と各々電気的に接続していて、前記クリップの患者に取り付け状態、外した状態又は取り付け状態から引き抜け状態に応じた第一の対の電極の電気的状態により前記報知装置が、前記スイッチ回路を介して前記クリップの装着・外れの検出出力を行うことで、前記スイッチ回路への前記クリップの第一の対の電極からの電気的接続を前記バーの前記第二の対の電極を介して行うことを特徴とする電極付バーを備えたクリップ式患者動き検出装置。
【請求項２】
前記検出スイッチは、前記バーを前記バー挿入口に挿抜することで、前記第三の対の電極又はこれに電気的に接続した対の電極が接近又は離間するよう可動自在にし、その結果これらの対の電極が電気的導通又は非導通になるようにし、前記クリップの第一の対の電極も患者に取り付け状態、外した状態又は取り付け状態から引き抜け状態に応じて電気的非導通又は導通になるようにしたことを特徴とする請求項１記載の電極付バーを備えたクリップ式患者動き検出装置。
【請求項３】
前記検出スイッチは、前記バーを前記バー挿入口に挿抜することで、前記第三の対の電極又はこれに電気的に接続した対の電極が接近又は離間するよう可動自在にし、その結果これらの対の電極間の静電容量が変わるようにし、前記クリップの第一の対の電極も患者に取り付け状態、外した状態又は取り付け状態から引き抜け状態に応じて静電容量が変わるようにしたことを特徴とする請求項１記載の電極付バーを備えたクリップ式患者動き検出装置。
【請求項４】
前記クリップは、長方形の第一平板と略中間位置を回転の支点を備えてこの支点の周りに回転し、第一平板に向き合って、対象物を挟むための第二平板と第ニ平板を回転をさせるツマミ片と、第一平板と第ニ平板の相対する向きに双方に備えた対の電極と、
第ニ平板側の電極から略中間位置より対象物を挟む先端とは反対側に延伸し、第一平板の電極と対をなす延伸電極を備え、前記クリップをツマミ片を開いて外した状態では、延伸電極側の対の電極が電気的に導通し、ツマミ片を閉じて取り付けた状態では、延伸電極側の対の電極が電気的に非導通になり、逆に第一平板と第ニ平板間の対の電極が電気的に導通し、患者に取り付けた状態では、第一平板と第ニ平板間の対の電極間に介在物があるために電気的に非導通になることを特徴とする請求項２記載の電極付バーを備えたクリップ式患者動き検出装置に使用するクリップ。
【請求項５】
前記クリップは、長方形の第一平板と略中間位置を回転の支点を備えてこの支点の周りに回転し、第一平板に向き合って、対象物を挟むための第二平板と第ニ平板を回転をさせるツマミ片と、第一平板と第ニ平板の相対する向きに双方に備えた対の電極と、
第ニ平板側の電極から略中間位置より対象物を挟む先端とは反対側に延伸し、第一平板の電極と対をなす延伸電極を備え、前記クリップをツマミ片を開いて外した状態では、延伸電極側の対の電極間の間隔が狭くなり、静電容量が大きくなり、ツマミ片を閉じて取り付けた状態では、延伸電極側の対の電極間の間隔が広くなり、静電容量が小さくなり、逆に第一平板と第ニ平板間の対の電極間の間隔が狭くなり、静電容量が大きくなり、患者に取り付けた状態では、第一平板と第ニ平板間の対の電極間に介在物があるために電極間の間隔が広くなり、静電容量が小さくなることを特徴とする請求項３記載の電極付バーを備えたクリップ式患者動き検出装置に使用するクリップ。
【請求項６】
第一の対の電極を有する請求項４又は請求項５に記載の前記クリップと第一の対の電極に各々電気的に接続した前記第二の対の電極を備えた平板状又は棒状の前記バーを有することを特徴とする請求項１から請求項３のいずれか一つに記載の電極付バーを備えたクリップ式患者動き検出装置に使用するクリップ・電極付バー集合体。
【発明の詳細な説明】
【技術分野】
【０００１】
本発明は、病院や介護施設等で通常では動くことが危険な患者等が動いたことを検出し、ナースコール等に連動して報知するための、電極付バーを備えたクリップ式患者動き検出装置、クリップ及びクリップ・電極付バー集合体に関するものである。
【背景技術】
【０００２】
従来の患者動き検出装置は本発明の出願人による特許文献１に記述されているが、図５に示す。これらの図において、患者が動くと患者に取り付けられたクリップの紐が引かれ、バー５０１が抜けることで、検出回路のスイッチの電極間が接触して検出する仕組みになっている。特許文献１の発明を表した図５の５−Ａにおいて、ナースコール装置の子機である患者動き検出装置５００は、スイッチ回路５１０とバー患者連結具５２０から成っている。バー患者連結具５２０は、患者の衣服等に付けるクリップ５２１とこれとバー５０１を結ぶ紐５２２から成り、バー５０１は、図５の５−Ｃの如く、挿入又は引抜がなされれる板状体または棒状体である。
図５のスイッチ回路５１０は、筐体５１１の面にバー５０１を出し入れするバー挿入口５１２があり、ここにバー５０１を入れるとスイッチ５１３がこの例は電気的非導通（導通に構成も可能）に、引き出すと逆に電気的導通（非導通に構成も可能）になる。このスイッチ５１３に直列にこの回路が使用しない状態において回路を切っておくためのメインスイッチ５１４があって、筐体５１１の表面に手動の操作部が配置されている。更に、図のようにスイッチ５１３とメインスイッチ５１４を含む両端の電極は、第一コネクタ５１５として外部に導出され、親機のナースコール等へ至る回路に接続していて、スイッチ５１３の電気的非導通・導通状態を検知し警報を鳴らすようになっている。
【０００３】
そして、クリップ５２１が外れた場合や患者が外してしまう場合も検出できるように、クリップ５２１に電極を付け、クリップ５２１から導電ワイヤ５２３を、検出装置５００に内蔵したバー５０１の引き抜き用スイッチ５１３に並列（又は直列）に接続して、バー５０１の引き抜きでは、引き抜き用スイッチ５１３が導通（または非導通）し、バー５０１の挿入状態において、クリップ５２１の外れに対応しては、並列の接続回路でクリップ５２１の両電極の電気的導通・非導通を検出可能なように、クリップ５２１に接続したバー５０１までの紐５２２より、クリップ５２１から並列の接続点または検出装置５００の筐体５１１に付けた第二コネクタ５１６までの導電ワイヤ５２３の長さを実質的に長く構成することでクリップ５２１の外れの検出も可能にしている。
バー５０１とスイッチ５１３の動作に関しては、５―Ｂに図示されている。上下の2枚の板５１７（バーが棒状態では筒状の内外で電極があるのがよい）が適当な隙間を有して存在し、これがばね板５１８に支えられている。隙間にバー５０１を挿入した状態では、バー５０１に板５１７が押し広げられて隙間が拡大し、板５１７に付いた対の電極５１９が離れて電気的非導通の状態にある。これが下に示す状態である。上に示すようにバー５０１を引き出すと、ばね板５１８の復元により板５１７の隙間が狭まって対の電極５１９が接触して電気的導通の状態となる。対の電極５１９は、スイッチ５１３の二つの電極（端子）に対応している。従って、対の電極５１９は、１つは、５−Ａの第一コネクタ５１５へ接続し、他方は、メインスイッチ５１４に接続している。
【０００４】
このような患者動き検出装置において、装置に挿入され引き抜きを検出する図５の前記バー５０１はこの図のように板状体または棒状体であり、また導電ワイヤ５２３を通すための穴状その他の結節部５０２を有している。導電ワイヤ５２３またはこれに繋がる紐を通すまたは結びつけられる穴が適当であるが、必ずしもこれにこだわらない。例えば結節するためのリングや突起などでもよい。
【０００５】
ここで、上記の患者動き検出装置は、バーの引き抜きと、クリップの外れの両方に対応できるものであるが、筐体に第二コネクタ５１６の追加が必要になる他、バー周辺に導電ワイヤや紐があり、コードの類が多いため、医療・看護・介護の現場で使用するには、これらの余分なものを排除した装置の簡略化が望ましいといえる。
尚、クリップについては、図３に示すものの原型といえる電極付クリップを本出願人は特許文献２において出願を行っている。
【０００６】
上記背景から、バーの引き抜きと、クリップの外れの両方に対応できる患者動き検出装置の簡略化が望まれており、本発明は、当該装置のために用いる電極付バーを備えたクリップ式患者動き検出装置を提案するものである。
【先行技術文献】
【特許文献】
【０００７】
【特許文献１】特願２０１１−２１６０２１
【特許文献２】特願２０１１−２１５９３２
【発明の概要】
【発明が解決しようとする課題】
【０００８】
本発明の課題は、ナースコール装置等の患者監視警報装置の子機である患者動き検出装置において、従来技術よりも簡単な構造で患者の動きを確実に検出するための、電極付バーを備えたクリップ式患者動き検出装置を提供することである。
【課題を解決するための手段】
【０００９】
本発明の電極付バーを備えたクリップ式患者動き検出装置は、患者に取り付けるクリップとこれに付いたバーと、バー挿入口とバーの挿抜で状態が変わる電気的スイッチを備えた検出回路とを備えたクリップ式患者動き検出装置において、クリップがその開閉又は外れにより導通／非導通状態が変わる第一の対の電極を備え、バーは第一の対の電極にそれぞれ接続した第二の対の電極を備え、バー挿入口からバーを抜去状態では、電気的スイッチが「バー抜け」に対応する第一の電気的状態を示し、バー挿入口へのバーの挿入状態では、
第二の対の電極が電気的スイッチの回路に接続しているので、第二の対の電極に繋がった第一の対の電極の電気的状態により検出出力が決まるようにしたものである。
【００１０】
請求項１記載の発明は、電極付バーを備えたクリップ式患者動き検出装置であって、
患者に取り付けるクリップと、患者の動きの検出結果を報知する報知装置に繋がるスイッチ回路と、前記スイッチ回路に抜き差しするバーとを有し、
前記スイッチ回路は、その筐体の表面に前記バーを挿抜するための開口であるバー挿入口を有し、前記バーの挿抜によって、挿抜検出が可能なように電気的状態が変わる第三の対の電極を備えた検出スイッチを有し、
前記クリップは、患者に取り付いている場合の電気的状態に対して、外した状態又は取り付け状態から引き抜け状態に移行した状態とで異なる電気的状態を得られるように、クリップの相対するクリップ片に第一の対の電極を有し、
前記バーは、前記バー挿入口に挿抜されるに対応した平板状又は棒状の形状を有し、挿抜されることで、前記第三の対の電極の間隔を拡縮し、前記バーには、第二の対の電極が備えられ、前記クリップの第一の電極と前記バーの第二の対の電極は、各々電気的に配線で接続されていて、
前記バーが前記バー挿入口に挿入の状態から抜去の状態になった場合には、前記検出スイッチの第三の対の電極の状態により、前記報知装置が、前記スイッチ回路を介して、抜去の状態になった検出出力を行い、
前記バーが前記バー挿入口に挿入の状態のままでは、第二の対の電極が第三の対の電極と各々電気的に接続していて、前記クリップの患者に取り付け状態、外した状態又は取り付け状態から引き抜け状態に応じた第一の対の電極の電気的状態により前記報知装置が、前記スイッチ回路を介して前記クリップの装着・外れの検出出力を行うことで、前記スイッチ回路への前記クリップの第一の対の電極からの電気的接続を前記バーの前記第二の対の電極を介して行うことを特徴とする。
【００１１】
請求項２記載の発明は、請求項１記載の電極付バーを備えたクリップ式患者動き検出装置において、前記検出スイッチは、前記バーを前記バー挿入口に挿抜することで、前記第三の対の電極又はこれに電気的に接続した対の電極が接近又は離間するよう可動自在にし、その結果これらの対の電極が電気的導通又は非導通になるようにし、前記クリップの第一の対の電極も患者に取り付け状態、外した状態又は取り付け状態から引き抜け状態に応じて電気的非導通又は導通になるようにしたことを特徴とする。
【００１２】
請求項３記載の発明は、請求項１記載の電極付バーを備えたクリップ式患者動き検出装置において、前記検出スイッチは、前記バーを前記バー挿入口に挿抜することで、前記第三の対の電極又はこれに電気的に接続した対の電極が接近又は離間するよう可動自在にし、その結果これらの対の電極間の静電容量が変わるようにし、前記クリップの第一の対の電極も患者に取り付け状態、外した状態又は取り付け状態から引き抜け状態に応じて静電容量が変わるようにしたことを特徴とする。
【００１３】
請求項４記載の発明は、請求項２記載の電極付バーを備えたクリップ式患者動き検出装置に使用するクリップであって、前記クリップは、長方形の第一平板と略中間位置を回転の支点を備えてこの支点の周りに回転し、第一平板に向き合って、対象物を挟むための第二平板と第ニ平板を回転をさせるツマミ片と、第一平板と第ニ平板の相対する向きに双方に備えた対の電極と、
第ニ平板側の電極から略中間位置より対象物を挟む先端とは反対側に延伸し、第一平板の電極と対をなす延伸電極を備え、前記クリップをツマミ片を開いて外した状態では、延伸電極側の対の電極が電気的に導通し、ツマミ片を閉じて取り付けた状態では、延伸電極側の対の電極が電気的に非導通になり、逆に第一平板と第ニ平板間の対の電極が電気的に導通し、患者に取り付けた状態では、第一平板と第ニ平板間の対の電極間に介在物があるために電気的に非導通になることを特徴とする。
【００１４】
請求項５記載の発明は、請求項３記載の電極付バーを備えたクリップ式患者動き検出装置に使用するクリップであって、前記クリップは、長方形の第一平板と略中間位置を回転の支点を備えてこの支点の周りに回転し、第一平板に向き合って、対象物を挟むための第二平板と第ニ平板を回転をさせるツマミ片と、第一平板と第ニ平板の相対する向きに双方に備えた対の電極と、
第ニ平板側の電極から略中間位置より対象物を挟む先端とは反対側に延伸し、第一平板の電極と対をなす延伸電極を備え、前記クリップをツマミ片を開いて外した状態では、延伸電極側の対の電極間の間隔が狭くなり、静電容量が大きくなり、ツマミ片を閉じて取り付けた状態では、延伸電極側の対の電極間の間隔が広くなり、静電容量が小さくなり、逆に第一平板と第ニ平板間の対の電極間の間隔が狭くなり、静電容量が大きくなり、患者に取り付けた状態では、第一平板と第ニ平板間の対の電極間に介在物があるために電極間の間隔が広くなり、静電容量が小さくなることを特徴とする。
【００１５】
請求項６記載の発明は、請求項１から請求項３のいずれか一つに記載の電極付バーを備えたクリップ式患者動き検出装置に使用するクリップ・電極付バー集合体であって、第一の対の電極を有する請求項４又は請求項５に記載の前記クリップと第一の対の電極に各々電気的に接続した前記第二の対の電極を備えた平板状又は棒状の前記バーを有することを特徴とする。
【発明の効果】
【００１６】
以上のように構成されているので、本発明の電極付バーを備えたクリップ式患者動き検出装置は、従来よりも簡単な構造で、患者動き検出装置のバーの引き抜きとクリップの外れの両方の検出に対応でき、余分なコネクタを介したワイヤの接続も無く使いやすく、コネクタとの接続の緩みや接続の外れによる動作不良の恐れも無くなり、更に簡略なので製造コストも低減される利点がある。。
【図面の簡単な説明】
【００１７】
【図１】本発明の電極付バーを備えたクリップ式患者動き検出装置の一実施態様を示す図である。
【図２】本発明の電極付バーを備えたクリップ式患者動き検出装置の電極付バーを示す図である。
【図３】患者動き検出装置に用いるクリップの例を示す図である。
【図４】本発明の電極付バーを備えたクリップ式患者動き検出装置の別の一実施態様を示す図である。
【図５】従来の患者動き検出装置を示す図である。
【発明を実施するための形態】
【００１８】
本発明の電極付バーを備えたクリップ式患者動き検出装置は、患者に取り付けるクリップとこれに付いたバーと、バー挿入口とバーの挿抜で電気的状態が変わる電気的スイッチを備えた検出回路とを備えたクリップ式患者動き検出装置において、クリップが、その開閉又は外れにより電気的導通・非導通状態が変わる第一の対の電極を備え、バーは第一の対の電極に導電線によりそれぞれ接続した第二の対の電極を備え、バー挿入口からバーを抜去状態では、電気的スイッチが「バー抜け」に対応する電気的状態を示し、バー挿入口へのバーの挿入状態では、第二の対の電極が電気的スイッチの回路に接続して、第二の対の電極に繋がった第一の対の電極の電気的状態に対応する電気的状態で検出出力が決まるようにしたものである。
【００１９】
すなわち、第二の対の電極付バーは、バー挿入口に挿入したときに、患者動き検出装置のバー挿入口の中にあるスイッチ５１３の電気的状態が所定の状態であり、第二の対の電極と電気的スイッチの有する第三の対の電極とが各々電気的に繋がって、電極付バーを介してクリップの第一の対の電極の使用状態に対応する電気的状態を検出可能としたものであり、バーの挿抜により、電極付バーからクリップ側はスイッチ５１３からは回路的に切り離され、且つ、スイッチ５１３の状態は、所定の状態でない状態に変わるものである。
前記スイッチ５１３は、５−Ｂの対の電極５１９のようにそれぞれ接触する対の電極を有し、バーが抜けた状態では、これらが接触導通し、バーをバー挿入口から挿入した場合には、スイッチの電極間を押し広げ、この電極間は非接触・電気的非導通になるが、バーの対の電極とスイッチの対の電極をそれぞれ接触させる。そのため、バーの電極に繋がるクリップ上の第一の対の電極の接触か非接触かにより、スイッチ間が接触か非接触になったのと同じ動作になる。
【００２０】
尚、バーをバー挿入口に挿入により、スイッチの電極間が狭まり、抜去によりスイッチの電極間が拡がる構成も可能であり、この場合は、前例とは反対の動作となる。反対になる構成では、クリップでの構成も反対になるように構成することになるのは勿論である。
一方、特許文献１で示されたクリップ１と同じように、クリップには第一の対の電極があり、クリップを閉じたまま患者の服から外れた場合、または開いて外した場合（尚、いずれか一方のみ検出することも可能であるが、両方が検出できる方がよりよい）にクリップの第一の対の電極は導通するようになっている。そして、このクリップの第一の対の電極が導電ワイヤで前記バーの第二の対の電極に繋がっているため、電極付バーがバー挿入口に挿入されている状態で、クリップが外れた場合はバーを通じてスイッチ回路に繋がるナースコール等の回路が作動（この図では、スイッチ５１３の両端子間が接触・導通と等価）し、バーが外れた場合も、スイッチ５１３の第三の対の電極５１３が接触・電気的導通するため回路が作動し、警報を鳴らすことができる。
【００２１】
図２は、本発明の電極付バーを備えたクリップ式患者動き検出装置の電極付バーを示す図である。
２―Ａにおいて電極付バー１００は、この例では、平板状であり、平板の表面と裏面の両側に導電性の対の電極を有している。これが第二の対の電極１０１であり、これは、図示しないクリップの第一の対の電極とおのおの電気的に繋がっている。この例では、導電ワイヤ５２３を通す又は結節するための穴状の結節部５０２も示されている。勿論、リングや突起などでもよい。
【００２２】
２―Ｂにおいて、電極付バー１００は、患者動き検出装置のスイッチ５１３に挿入される。スイッチ５１３は、対になっている板５１７と、前記板５１７の内側にそれぞれ対向して設置される第三の対の電極１０２を有する。第三の対の電極１０２は、それぞれの間に電極付バー１００が嵌るよう差し込むための隙間があるが、バーの非挿入時は互いに接するようなっている。具体的には、第三の対の電極１０２のうち片方をばね板電極として他方に接触させるようにし、電極付バー１００を第三の対の電極１０２の間に差し込んだ時は、第三の対の電極１０２同士は接触してない状態に離れ、その代わり、バーに設けられた第二の対の電極１０１がそれぞれ第三の対の電極１０２に接する。このため、この状態では、第二の対の電極１０１に繋がったクリップの第一の対の電極の接触状態を検知することが可能となる。尚、前にも記述したが、２−Ｂの代わりに２−Ｄのように構成すると、挿入
状態では、スイッチ５１３の電極同士が接触し電気的導通になり、抜去状態では電極同士が拡がる状態に構成できる。
尚、電極付バー１００は、２−Ｃのように中芯と柱側面に第二の対電極を備えた棒状体でも良いことは勿論である。これに応じてバー挿入口やスイッチの受け形状が異なるのは当然である。
【００２３】
図１は、本発明の電極付バーを備えたクリップ式患者動き検出装置の一実施態様を示す図である。
図２で示した電極付バーを備えたクリップ式患者動き検出装置の全体が示されている。
１−Ａにおいて、電極付バーを備えたクリップ式患者動き検出装置は、スイッチ回路５１０とバー患者連結具５２０を備える。
バー患者連結具５２０は、患者の衣服等に付けるクリップ２０１と電極付バー１００と、両者を結ぶ導電ワイヤ５２３を有している。
クリップは、図３で後述するが第一の対の電極を有している。この第一の対の電極と電極付バー１００の第二の対の電極は、導電ワイヤ５２３で電気的に接続されている。
電極付バー１００は、板状体または棒状体であり、第二の対の電極１０１を有している
スイッチ回路５１０は図５と同じであるが、筐体５１１の表面に電極付バー１００を出し入れするバー挿入口５１２があり、ここに電極付バー１００を入れるとスイッチ５１３が電気的非導通（導通に構成も可能）状態に、引き出すと逆に電気的導通（または非導通に構成も可能）状態になる。このスイッチ５１３に直列にこの回路が使用しない状態において回路を切っておくためのメインスイッチ５１４があり、筐体５１１の表面に手動の操作部が配置されているのが使用上好都合である。更に、図のようにスイッチ５１３とメインスイッチ５１４を含む両端の電極は、第一コネクタ５１５として外部に導出され、親機のナースコール等へ至る回路に接続していて、バーの挿抜状態によるスイッチ５１３の電気的非導通（または導通に構成も可能）状態を検知し警報を鳴らすようになっている。
従って、電極付バー１００がバー挿入口５１２に挿入されている状態では、スイッチ５１３の第三の対の電極は電気的非導通のまま、これらが各々電極付バー１００の第二の対の電極に接続して、その結果、クリップ上の第一の対の電極の間の電気的状態を検出することが可能となっている。尚、メインスイッチ５１４は、必ずしもこの場所にあるとは限らず、第一コネクタ５１５から外側にあってもよいし、使用しない場合は、警報装置側で出力を無効にするなどの類似の動作をすることで対処してもよい。
【００２４】
次に、電極付バー１００をバー挿入口５１２に挿入された状態と抜去された状態でのスイッチ５１３の周りの状況を１−Ｂと１−Ｃで説明する。１−Ｂでは、電極付バー１００が抜去された状態であるが、スイッチ５１３の二つの電極間がスイッチ切片で短絡された図示のようにスイッチ５１３は電気的導通状態である。ナースコール親機側で警報等がなされる状態である。
一方、１−Ｃでは、電極付バー１００が挿入され、スイッチ５１３の両端子間は拡がってこの間は分離した状態であるが、スイッチ５１３の二つの電極間がスイッチ切片で短絡されていず、各々の電極に電極付バー１００の電極が電気的に接触して、その結果、矢印の右側に示す等価回路ようにクリップ側の状況を検出することが可能となっている。
【００２５】
図３は、患者動き検出装置に用いる電極付クリップの例を示す図である。
クリップ２０１は図３のように、電極３０２が敷かれた下板３０１上の中央部分から係止片３０３が立ち上がっている。係止片３０３には、つまみ片３０４が回動自在に付いていて、これを回動すると上下に回転可能に動く中板３０５が軸支されており、下板３０１と中板３０５の先端部分は、患者の衣服等の布を挟むための各々突起体３０７Ａ、３０７Ｂを有する挟み部３０７があり、互いに向き合って、これらの面上に対となる各々挟み部電極３０８Ａ、３０８Ｂを設ける。又、突起体３０７Ａ上の挟み部電極３０８Ａは、電極３０２に繋がっている。
中板３０５の先端上部分からは、緩やかな角度で後方に伸びた延伸電極３０６が伸びており、延伸電極３０６は、突起体３０７Ｂ上の挟み部電極３０８Ｂと繋がっている。延伸電極３０６と電極３０２は、おのおの電極付バーの第二の対の電極に導電ワイヤ５２３により繋がっている。
【００２６】
このような構成において、
つまみ片３０４を上限まで引き上げた（開いた）ときに、延伸電極３０６の先端が電極３０２の高さまで下がりこれと電気的に接触する。
つまみ片３０４を下ろすことで、中板３０５が下りて先端である挟み部３０７に、患者の服を挟み込むことができる。このときは、延伸電極３０６の先端は、電極３０２に接触していない状態となる。
先ず、電極付バー１００がバー挿入口５１２に挿入された状態では、
カバー３０４を引き上げて患者がクリップを外した場合は電極３０２と延伸電極３０６が接触して導通し、患者動き検出装置用電極付バー１００を通じてスイッチ回路に繋がる回路が作動する。
カバー３０４を引き上げないままで挟みこんだ状態で、服が挟み部３０７から抜けてしまった場合は、挟み部電極３０８Ａ、３０８Ｂが接触して導通し、患者動き検出装置用電極付バー１００を通じてスイッチ回路に繋がる回路が作動する。
他方、電極付バー１００がバー挿入口５１２から抜けた状態では、スイッチ５１３側で作動することは、図５と同じであることは、図１においても示した通りである。
尚、挟み部電極３０８Ａ、３０８Ｂとこれに繋がる電極３０２と延伸電極３０６を総称して第一の対の電極と呼称している。
図３に示すクリップの構成は、特許文献２に出願を行っているクリップであり、その構成の思想を元に一部形状を変えた例である。
【００２７】
尚、今まで例では、スイッチ回路のスイッチは単純な電気的導通／非導通を見るものを示したが、バーの引き抜きにより接近する磁気体と磁気センサをスイッチ回路に、バーの挿入状態においては、クリップ側に配置した磁気体と磁気センサ（クリップ片の動きで磁気体が動き磁気センサ出力が変わる）で検出することも出来る。
但し、磁気体と磁気センサを使うことは、電気的導通／非導通のスイッチを使うことに比べると、得策ではない。磁気体と磁気センサの場合は、磁気センサとしてホール素子を使うなどをしても配線数が増加し、クリップに搭載するものの大きさ、配線数、工数など不都合点が多いからである。
同様に、バーの引き抜きにより接近（又は離間）することで静電容量が変わるコンデンサセンサ、バーの挿入状態においては、クリップ側に配置した静電容量が変わるコンデンサセンサ（クリップ片の動きで静電容量が変わる）で検出することも出来る。この例は、図４の実施例で説明する。これらは、電極付バー１００により、スイッチ回路のスイッチとクリップ上のセンサが接続されていることで可能になっている。
【００２８】
図４は、本発明の電極付バーを備えたクリップ式患者動き検出装置の別の一実施態様を示す図である。
電気的導通／非導通を見るスイッチ５１３の代わりに、静電容量が変わるコンデンサセンサを使う例である。クリップにも静電容量が変わるコンデンサセンサを搭載する。
コンデンサセンサは、電極の間隔によって静電容量が異なることを利用する。
検出には、静電容量により発振回路の発振周波数や増幅回路の出力振幅が異なるものが使用される。
図４では、電極付バーとスイッチ５１３の代わりの平板コンデンサの部分を描いてある。
これに使用するクリップにおけるコンデンサセンサ部は４−Ｃ、４−Ｄに示す。
４−Ａは、電極付バー１００が挿入されている場合であり、４−Ｂは、抜去されている場合である。
スイッチ５１３の代わりの平板コンデンサ４１０は、４−Ｂで説明すると、間隔Ｄで相対する2枚の金属板４１１Ａ、４１１Ｂで構成されている。この図では、電極付バー１００が引き抜かれた状態なので、間隔Ｄは小さい状態であり、その静電容量は大きい状態である。回路的には下の図のように大きい静電容量があり、電極付バー１００からクリップ側の静電容量は、電気的には繋がっていないため、回路的には関係がない。４−Ａにおいて、
電極付バー１００がバー挿入口５１２から挿入された状態であり、金属板４１１Ａ、４１１Ｂの間に嵌って、この間を拡げ、間隔Ｄを広げているため、この静電容量は小さくなる。一方互いの電極が電気的に繋がって、この静電容量に並列に電極付バー１００からクリップ側の静電容量が繋がる。そして、その静電容量は、クリップの装着時には小さく（Ｃ２）、クリップが外れた時は、大きく（Ｃ３）なる。
【００２９】
４−Ｃ、４−Ｄには、挟み状態（装着）と外し状態のクリップを示す。クリップは、図３の接触式のものに比べると対の電極は電気的に接触してはならないので、近づいた場合も接触はしないか、電極上に備えた絶縁膜で隔てられている必要があり、静電容量を大きくするため電極の面積の大きさが要求される。従って、接触式に比べ小型化の観点では不利である。４−Ｄで、クリップのツマミ片３０４を起こした状態では、クリップのツマミ片３０４より右に伸びた延伸電極３０６側が下板３０１との間で狭い間隔になっており、この部分で静電容量が大きい。又、ツマミ片３０４より左に伸びた中板３０５の電極は、下板３０１との間で広い間隔になっている。両方の静電容量が並列接続になる。並列の静電容量は合算値になるため、結果的に大きい延伸電極３０６側の静電容量が検出される。
一方、４−Ｃでは、ツマミ片３０４が倒した状態で、クリップを取り付ける状態にある。従って、中板３０５は、下板３０１に近づいている。延伸電極３０６は、下板３０１の間で広い間隔になっているので、この間の静電容量は小さい。一方、中板３０５は、下板３０１の間で狭い間隔になっており、この部分で静電容量が大きい。中板３０５は、下板３０１の間に衣服の布が挟まった状態では、電極間隔が広がるので、静電容量は大きくならず小さい、従って、衣服についたままでは、小さい静電容量が並列についた状態である。
ところが、衣服の布が抜けた状態では、４−Ｃの状態のように中板３０５と下板３０１の電極間隔が狭くなるので、静電容量が大きくなり、衣服から外れたことが分かる。このように、このクリップでは、クリップをツマミ片を開いて外した状態と、ツマミ片を装着状態のまま引き抜いた状態と更には、電極付バー１００を抜いた状態の３つの状態で静電容量が大きくなって異常であることを検出できる。
【００３０】
尚、電極付バーを挿入しやすいように、バーの先端に傾斜を設けたり、逆にスイッチ５１３側の受け側に傾斜開きのある受けを設けると、円滑に挿入が出来る。
【００３１】
本発明の構成により、図５に示される特許文献１の装置に対して、第二コネクタ５１６や、第二コネクタ５１６とクリップ５２１を繋ぐコード類のうち、第二コネクタ５１６に繋がる部分を省くことができるため、装置の構造を簡略化できる。且つ接続が無いので接触不良などの不都合が回避できる。
【産業上の利用可能性】
【００３２】
以上のように構成されているため、本発明の電極付バーを備えたクリップ式患者動き検出装置は、コネクタを介した電気的接続が無いので接触不良などの不都合が回避でき、ワイヤが少なくなるなど簡単な構造で、患者動き検出装置のバーの引き抜きとクリップの外れの両方に対応でき、患者の使用が容易になるため、産業上利用性が極めて大きい。
【符号の説明】
【００３３】
１００  電極付バー
１０１  第二の対の電極
１０２  第三の対の電極
２０１  クリップ
３０１  下板
３０２  電極
３０３  係止片
３０４  つまみ片
３０５  中板
３０６  延伸電極
３０７  挟み部
３０７Ａ、３０７Ｂ  突起体
３０８Ａ、３０８Ｂ  挟み部電極
４１０  平板コンデンサ
４１１Ａ、４１１Ｂ  金属板  
５００  患者動き検出装置
５０１  バー
５０２  結節部
５１０  スイッチ回路
５１１  筐体
５１２  バー挿入口
５１３  スイッチ
５１４  メインスイッチ
５１５  第一コネクタ
５１６  第二コネクタ
５１７  板
５１８  ばね板
５１９  対の電極
５２０  バー患者連結具
５２１  クリップ
５２２  紐
５２３  導電ワイヤ
【図１】
2014180297.tif 000003
【図２】
2014180297.tif 000004
【図３】
2014180297.tif 000005
【図４】
2014180297.tif 000006
【図５】
2014180297.tif 000007